【事件の表示】
　特願２０１６−１７５２５「切削加工方法及び切削加工装置，光学部材の製造方法」拒絶査定不服審判事件〔平成２８年６月２３日出願公開，特開２０１６−１１２６８２〕について，次のとおり審決する。
【結　論】
　本件審判の請求は，成り立たない。
【理　由】
第１　手続の経緯
　本願は，２０１３年（平成２５年）４月１９日を国際出願日とする特願２０１５−５４４３０８号の一部を平成２８年２月１日に新たな特許出願としたものであって，その手続の経緯は，概略，以下のとおりである。 
　平成２８年　５月　６日付け：拒絶理由通知
　平成２８年　７月１１日　　：意見書及び手続補正書提出
　平成２８年１０月１１日付け：拒絶査定
　平成２８年１２月２６日　　：審判請求と同時に手続補正書提出
　平成３０年　２月１３日付け：拒絶理由通知
　平成３０年　４月１９日　　：意見書及び手続補正書提出
　
　
第２　本願発明
　本願の請求項１ないし１９に係る発明は，平成３０年４月１９日に手続補正された特許請求の範囲の請求項１ないし１９に記載された事項により特定されるものと認められるところ，その請求項１に係る発明は，以下のとおりである。
　
「光学部材の端面を切削する切削加工方法であって，
　回転軸と，前記光学部材の端面側に突出する切削刃と，を有する切削部材を準備し，
　前記回転軸を中心に前記切削刃を回転させ，
　回転する前記切削刃を前記光学部材の端面に接触させることによって前記光学部材の端面を切削する切削加工方法であり，
　前記回転軸の熱膨張がこれ以上生じない飽和状態となるまで前記回転軸を予め加熱しておき，
　前記光学部材は，平面視で矩形形状をなしており，
　前記切削部材として，
　前記光学部材の端面の法線方向に沿って延在する前記回転軸と，
　前記回転軸に対して垂直な設置面を有するとともに，前記回転軸を中心として回転する回転体と，
　前記設置面に設けられるとともに，前記設置面から前記光学部材の端面側に突出する前記切削刃と，を有する切削部材を準備し，
　前記切削刃として，前記回転軸からの距離が長くなるほど前記設置面からの突出量が小さい複数の切削刃を準備し，
　所定回数の切削加工処理バッチが完了した後，次バッチの切削加工処理を始める前に，前記光学部材の端面と前記切削刃との相対位置を調整する切削加工方法。」（以下「本願発明」という。）
　
　
第３　拒絶の理由
　平成３０年２月１３日付けで当審が通知した拒絶理由のうちの理由２の概要は，次のとおりである。
　本願発明は，本願の出願前に日本国内又は外国において，頒布された又は電気通信回線を通じて公衆に利用可能となった以下の引用例１に記載された発明及び引用例２に記載された事項に基づいて，その出願前にその発明の属する技術の分野における通常の知識を有する者が容易に発明をすることができたものであるから，特許法２９条２項の規定により特許を受けることができない。
　
　引用例１：特開２０１１−９３０８６号公報
　引用例２：特開平８−２１５９８１号公報
　
　
第４　各引用例の記載事項及び引用発明
　
１．引用例１の記載事項及び引用発明
　引用例１には，以下の事項が記載されている。なお，下線は，理解を容易とするために当審で付したものである。
（１）「【０００１】
　本発明は，フィルムの端面を切削する端面加工用カッターおよびこれを備える加工機，並びに，フィルムの端面加工方法に関し，特に，導光板，拡散板，光学フィルムなどを多数枚重ね合わせて構成した偏光板の端面を鏡面加工するための端面加工用カッターに関する。」
　
（２）「【００２８】
　＜フィルムの端面加工用カッター＞
　本発明の一実施形態について図１ないし図５に基づいて説明すれば，以下の通りである。まず，本発明の端面加工用カッターの構成について説明する。図１（ａ）は端面加工用カッターを示す側面図であり，図１（ｂ）は，端面加工用カッターを示す正面図である。
回転体１０は支持台１０ａに固定されており，回転軸Ａを軸として一方向に回転する
回転体１０は回転軸Ａに対して垂直な設置面Ｓを有している
【００２９】
　
切削部１ａは切削刃Ｂを有しており，設置面Ｓに設置されている（切削部１ｂ〜１ｆについても同様である）。切削部１ａは設置面Ｓから突出しており，切削部１ａは頂面を有している
・・・（中略）・・・
【００３２】
　
切削部１ａ〜１ｆは，互いに等間隔に設けられており，連続する３枚（１ａ〜１ｃおよび１ｄ〜１ｆ）をそれぞれ一組として，回転軸Ａからの距離が順次短くなるように配置されている
切削部１ａ〜１ｃはその順に設置面Ｓからの突出量が大きくなっている。この形状により，切削部１ａは，回転軸Ａからの距離が最も長くかつ設置面Ｓからの突出量が最も小さく，切削部１ｃは，回転軸Ａからの距離が最も短くかつ設置面Ｓからの突出量が最も大きくなる
　
（３）「【００３８】
　＜フィルムの端面加工方法＞
　次に，
本発明の端面加工用カッターを備える加工機（端面加工機）を用いて，光学フィルムを多数枚重ね合わせて構成した偏光板を積層した積層体の端面を加工する実際の端面加工方法
【００３９】
　
積層体Ｗは，長方形のフィルムを重ね合わせた直方体形
【００４０】
　支持装置３０は，平板形の基盤（移動装置）３１上に，門形のフレーム３２が設けられている。そして，基盤３１上には旋回するテーブル３３が，フレーム３２の対向する位置には上下動するシリンダ３４が設けられ，
積層体Ｗはテーブル３３とシリンダ３４に，ジグ３５を介して挟まれ固定される
【００４１】
　基盤３１の両側には，上記回転体１０を有するカッター（フィルムの端面加工用カッター）１００が互いに向かい合って設けられる。カッター１００は，積層体Ｗの大きさに合わせて回転軸方向に移動可能であり，基盤３１は，カッター１００同士の間を通過するように移動可能である。切削に当たっては，積層体Ｗを支持装置３０に固定し，基盤３１によって，カッター１００を積層体Ｗの大きさに合わせた位置に移動する。そして回転体１０を回転させ，向かい合うカッター１００同士の間を通過するように基盤３１を移動させる。
【００４２】
　この際，まず，
回転体１０の最も外側に位置する切削部１ａおよび１ｄが積層体Ｗに接し，その端面を切削する
　
（４）図１
　図１（ａ）には，フィルムの端面加工用カッターの側面図，図１（ｂ）には，フィルムの端面加工用カッターの正面図が記載されている。
　
（５）図３
　図３には，端面加工機の斜視図が記載されている。
　
（６）引用例１に記載された技術的事項
　引用例１の記載事項からみて，引用例１には，以下の技術的事項が記載されているということができる。
　ア．光学フィルムを多数枚重ね合わせて構成した偏光板を積層した積層体Ｗの端面を加工する方法（段落【００３８】）であって，当該加工が切削であること（段落【００４２】）。
　イ．端面の切削加工では，端面加工用カッターを準備し（段落【００３８】），当該端面加工用カッターは，回転軸Ａ（段落【００２８】）と切削刃Ｂ（段落【００２９】）を有しており，切削刃Ｂは，積層体Ｗの端面側に突出するものであること（図１及び３）。
　ウ．端面加工用カッターは，回転軸Ａを中心に切削刃Ｂを回転させるもの（段落【００２８】及び【００２９】）であり，回転する切削刃Ｂを積層体Ｗの端面に接触させることによって積層体Ｗの端面を切削する（段落【００４２】）こと。
　エ．積層体Ｗは直方体形状をなしていること（段落【００３９】）。
　オ．端面加工用カッターの回転軸Ａは，積層体Ｗの端面の法線方向に沿って延在すること（図１及び３）。
　カ．端面加工用カッターは，回転軸Ａに対して垂直な設置面Ｓを有する（段落【００２８】）とともに，回転軸Ａを中心として回転する回転体１０と，設置面Ｓに設けられるとともに，設置面Ｓから突出する切削刃Ｂとを有する（段落【００２９】）こと。
　キ．切削刃Ｂとして，回転軸Ａからの距離が長くなるほど設置面Ｓからの突出量が小さい複数の切削刃を準備すること（段落【００３２】）。
　
（７）引用発明
　上記（６）に示す技術的事項を，技術常識をふまえて整理すると，引用例１には，次の発明が記載されているということができる。
「光学フィルムを多数枚重ね合わせて構成した偏光板を積層した積層体Ｗの端面を切削する切削加工方法であって，
　回転軸Ａと，積層体Ｗの端面側に突出する切削刃Ｂと，を有する端面加工用カッターを準備し，
　回転軸Ａを中心に切削刃Ｂを回転させ，
　回転する切削刃Ｂを積層体Ｗの端面に接触させることによって積層体Ｗの端面を切削する切削加工方法であり，
　積層体Ｗは直方体形状をなしており，
　端面加工用カッターとして，
　積層体Ｗの端面の法線方向に沿って延在する回転軸Ａと，
　回転軸Ａに対して垂直な設置面Ｓを有するとともに，回転軸Ａを中心として回転する回転体１０と，
　設置面Ｓに設けられるとともに，設置面Ｓから積層体Ｗの端面側に突出する切削刃Ｂと，を有する端面加工用カッターを準備し，
　切削刃Ｂとして，回転軸Ａからの距離が長くなるほど設置面Ｓからの突出量が小さい複数の切削刃を準備する，切削加工方法。」（以下「引用発明」という。）
　
２．引用例２の記載事項
（１）「【０００２】
【従来の技術】ＮＣ工作機械で加工する場合，例えば２００００（ｍｉｎ−１）以上の高回転で主軸を回転させて切削，研削加工などを行う場合があるが，このような高回転で主軸を回転させると，主軸の温度が上昇して軸方向（Ｚ軸方向）へ伸び，先端側の工具位置が変化して加工位置に誤差が生じる。この主軸の伸びすなわち熱変位は，回転開始から所定時間，例えば３０分程度経過すると略定常状態となり，その後は殆ど変化しないため，定常状態となるまでならし運転した後，その時の熱変位量分だけ位置補正して加工を開始すれば，主軸の熱変位に起因する加工精度の低下を回避できる。主軸の熱変位量は，回転数や主軸の長さ，材質などによって異なるが，例えば２００００（ｍｉｎ−１）で４０μｍ程度である。」
　
（２）引用例２に記載された技術的事項
　引用例２の上記の記載からみて，引用例２には，以下の技術的事項が記載されているということができる。
　ＮＣ工作機械で主軸を高回転で加工する場合，主軸が温度上昇により軸方向に伸び，先端側の工具位置が変化して加工位置に誤差が生じるという課題に対して，主軸の熱変位は，回転開始から所定時間経過すると略定常状態となり，その後は殆ど変化しないため，定常状態となるまでならし運転した後，その時の熱変位量分だけ位置補正して加工を開始すれば，主軸の熱変位に起因する加工精度の低下を回避できること。
　
　
第５　対比 
　本願発明と引用発明を対比すると，引用発明の「光学フィルムを多数枚重ね合わせて構成した偏光板を積層した積層体Ｗ」が本願発明の「光学部材」に相当することは明らかであり，以下同様に，「回転軸Ａ」が「回転軸」に，「切削刃Ｂ」が「切削刃」に，「端面加工用カッター」が「切削部材」に，「直方体形状」が「平面視で矩形形状」に，「設置面Ｓ」が「設置面」に，「回転体１０」が「回転体」に相当する。
　したがって，本願発明と引用発明とは，以下の点で一致及び相違する。
　
＜一致点＞
「光学部材の端面を切削する切削加工方法であって，
　回転軸と，前記光学部材の端面側に突出する切削刃と，を有する切削部材を準備し，
　前記回転軸を中心に前記切削刃を回転させ，
　回転する前記切削刃を前記光学部材の端面に接触させることによって前記光学部材の端面を切削する切削加工方法であり，
　前記光学部材は平面視で矩形形状をなしており，
　前記切削部材として，
　前記光学部材の端面の法線方向に沿って延在する前記回転軸と，
　前記回転軸に対して垂直な設置面を有するとともに，前記回転軸を中心として回転する回転体と，
　前記設置面に設けられるとともに，前記設置面から前記光学部材の端面側に突出する前記切削刃と，を有する切削部材を準備し，
　前記切削刃として，前記回転軸からの距離が長くなるほど前記設置面からの突出量が小さい複数の切削刃を準備する，切削加工方法。」
　
＜相違点１＞
　本願発明の方法は，「前記回転軸の熱膨張がこれ以上生じない飽和状態となるまで前記回転軸を予め加熱して」おくのに対して，引用発明の方法は，そのような回転軸の加熱をしておくかどうか不明な点。
　
＜相違点２＞
　本願発明の方法は，「所定回数の切削加工処理バッチが完了した後，次バッチの切削加工処理を始める前に，前記光学部材の端面と前記切削刃との相対位置を調整する」のに対して，引用発明の方法は，そのような調整をするかどうか不明な点。
　
　
第６　判断 
　上記相違点１及び２について，判断する。
　
（１）相違点１について
　上記第４の２．（２）に示すように，引用例２には，ＮＣ工作機械で主軸を高回転で加工する場合，主軸が温度上昇により軸方向に伸び，先端側の工具位置が変化して加工位置に誤差が生じるという課題に対して，主軸の熱変位は，回転開始から所定時間経過すると略定常状態となり，その後は殆ど変化しないため，定常状態となるまでならし運転した後，その時の熱変位量分だけ位置補正して加工を開始すれば，主軸の熱変位に起因する加工精度の低下を回避できるという技術的事項が記載されている。
　一般に，工作機械において熱変位は周知の課題であり，引用発明は，回転軸を回転させることで切削を行う方法であるから，回転軸が温度上昇することは技術常識であるし，回転軸に対して垂直な設置面から光学部材の端面側に切削刃が突出しているから，回転軸が温度上昇により軸方向に伸びれば，当然に切削刃の位置が変化して光学部材の切削位置に誤差が生じるといえ，回転軸の熱変位に関する課題は引用発明に内在されているというほかない。 
　したがって，引用発明に内在された，回転軸の熱変位に関する課題を解決するように，引用例２に記載された技術的事項を適用して，上記相違点１に係る構成を採用することは，当業者が容易に想到できた事項である。 
　
（２）相違点２について
　引用例１には，光学部材（積層体Ｗ）が，テーブル３３とシリンダ３４に，ジグ３５を介して挟まれて固定されていることが記載されている（段落【００４０】）から，引用発明において，当該光学部材の切削加工処理が完了した後には，加工が完了した光学部材の固定を解除し，次の加工処理を行う光学部材を新たに固定することは当然である。 
　そして，工作機械による加工において，機械にワークを固定した後に，ワークと工具の相対位置を調整することは技術常識である。 
　したがって，引用発明において，切削加工処理バッチが完了した後，次バッチの処理をはじめる前に，光学部材と切削刃の相対位置を調整することは，当業者が容易に想到できた事項である。 
　
（３）意見書における請求人の主張について
　平成３０年４月１９日に提出した意見書において，請求人は，本願発明は，所定回数の切削加工処理バッチが完了した後に，切削加工後の回転軸２１の熱膨張量として回転体２２の方向Ｖｆにおける変位量を測定し，次バッチの切削加工処理によって得られる積層体Ｗの外形寸法が製品規格によって定められる管理範囲を超えた外形寸法とならないように，次バッチの切削加工処理を始める前に，次バッチで切削加工処理される積層体Ｗの端面Ｗａと切削刃２４との方向Ｖｆにおける相対位置を調整している点で，引用発明と相違する旨を主張している（意見書の第５ページ第１１ないし２０行）。
　しかし，本願発明は，上記第２に記載するとおりであり，相対位置を調整するにあたり，回転軸の熱膨張量に相当する変位量を測定し，変位量を相殺するように調整することは，請求項１には記載されていないから，請求人の主張は，特許請求の範囲の記載に基づくものではなく，採用できない。
　また，本願発明は，回転軸の熱膨張がこれ以上生じない飽和状態となるまで回転軸を予め加熱しておくものであるから，このように回転軸を予め加熱した後に切削加工処理を行っても，回転軸の熱膨張がそれ以上生じるものではなく，熱膨張が生じないようにした発明において，熱膨張が生じることを前提とする請求人の主張は失当である。
　
　
第７　むすび
　以上のとおり，本願発明は，その出願前に日本国内又は外国において，頒布された又は電気通信回線を通じて公衆に利用可能となった引用例１に記載された発明及び引用例２に記載された事項に基づいて，その出願前にその発明の属する技術の分野における通常の知識を有する者が容易に発明をすることができたものであるから，特許法２９条２項の規定により特許を受けることができない。
　したがって，他の請求項に係る発明について検討するまでもなく，本願は拒絶されるべきものである。
　よって，結論のとおり審決する。